(57)【特許請求の範囲】
【請求項１】
端末と通信するサービング基地局であって、
前記サービング基地局とは異なる基地局のセル識別情報と前記サービング基地局とは異なる基地局のアンテナポート数を示す情報とを、前記端末個別に送信する
ことを特徴とするサービング基地局。
【請求項２】
前記セル識別情報と前記アンテナポート数を示す情報とを用いて生成された、前記サービング基地局におけるチャネル状態の情報を、前記端末から受信する
ことを特徴とする請求項１記載のサービング基地局。
【請求項３】
サービング基地局と通信する端末であって、
前記サービング基地局とは異なる基地局のセル識別情報と前記サービング基地局とは異なる基地局のアンテナポート数を示す情報とを、前記サービング基地局から個別に受信する
ことを特徴とする端末。
【請求項４】
前記セル識別情報と前記アンテナポート数を示す情報とを用いて、前記サービング基地局におけるチャネル状態の情報を生成し、
前記チャネル状態の情報を、前記サービング基地局に送信する
ことを特徴とする請求項３記載の端末。
【請求項５】
サービング基地局と端末とが通信する通信システムであって、
前記サービング基地局は、
前記サービング基地局とは異なる基地局のセル識別情報と前記サービング基地局とは異なる基地局のアンテナポート数を示す情報とを、前記端末個別に送信し、
前記端末は、
前記セル識別情報と前記アンテナポート数を示す情報とを、前記サービング基地局から個別に受信する
ことを特徴とする通信システム。
【請求項６】
端末と通信するサービング基地局における通信方法であって、
前記サービング基地局とは異なる基地局のセル識別情報と前記サービング基地局とは異なる基地局のアンテナポート数を示す情報とを、前記端末個別に送信するステップ
を有することを特徴とする通信方法。
【請求項７】
サービング基地局と通信する端末における通信方法であって、
前記サービング基地局とは異なる基地局のセル識別情報と前記サービング基地局とは異なる基地局のアンテナポート数を示す情報とを、前記サービング基地局から個別に受信するステップ
を有することを特徴とする通信方法。
【発明の詳細な説明】
【技術分野】
【０００１】
本発明は、通信技術領域において、マルチアンテナマルチ基地局間の協調通信方法及び該当方法を利用した基地局に関するものである。具体的には、セルラーシステムの下りリンクにおいて、マルチアンテナマルチ基地局の協調通信により、下りリンクデータの伝送レートを向上させる方法及び該当方法を利用した基地局に関するものである。
【背景技術】
【０００２】
マルチアンテナ（MIMO：Multiple Input Multiple Output）無線通信技術は、送信端末と受信端末ともにおいて複数本のアンテナを設置し、無線通信中の空間リソースを利用して、空間多重化の効果と空間ダイバーシティの効果を得る技術である。情報理論によれば、MIMOシステムの容量は、送信アンテナ本数及び受信アンテナ本数の最小値の増加に伴い、線形的に増加することが研究により明らかにされた。図１は、MIMOシステムを模式的に示す図である。図１に示すように、送信端末と受信端末とのマルチアンテナにより構成されるマルチアンテナ無線チャネルには、空間情報が含まれている。なお、直交周波数分割多重（OFDM：Orthogonal Frequency Division Multiplexing）技術は、フェージング防止能力が強い特性と周波数利用率が高い特性とを有するため、マルチパス環境及びフェージング環境における高速データ通信に適用される。MIMO技術及びOFDM技術を組み合わせしたMIMO-OFDM技術は、次世代移動通信システムにおいて、中核的な技術として認識されている。
【０００３】
例えば、3GPP（3rd Generation Partnership Project）組織は、移動通信技術分野の国際組織として、3G（3rd Generation）セルラーシステムの標準化に重要な役割を演じている。3GPP組織は、２００４年下半期からEUTRA（Evolved Universal Terrestrial Radio Access）とEUTRAN（Evolved UniversalTerrestrial Radio Access Network）の設計に着手しているが、このプロジェクトはロングタームエボリューション（LTE：Long Term Evolution）とも呼ばれる。LTEシステムの下りリンクにMIMO-OFDM技術が利用されている。２００８年４月、中国シンセンで3GPP組織の会議が開催され、４G（４th Generation）セルラーシステムの標準化について検討された。この会議では、「マルチアンテナマルチ基地局間協調」という概念が幅広く注目され、支持が得られた。上記概念の中核的な思想としては、複数個の基地局が同時にシングルユーザあるいはマルチユーザに通信サービスを提供し、セル境界にあるユーザへのデータ伝送レートを向上させるということである。
【０００４】
セルラーシステム下りリンクにおいて、三つのマルチアンテナマルチ基地局間協調通信の方法が従来技術として知られている。
【０００５】
（１）集中信号に基づく方法：移動局は、自局及び分散式基地局の位置等の情報に基づいて、方向図（アンテナ指向性パターン）を選択する。方向図には、電界強度が比較的に強い複数の指向性方向がそれぞれ異なる基地局のアンテナから示されている。分散式基地局は、移動局の具体的な地理位置に基づいて適切な基地局のアンテナ指向性パターンを選択し、該当基地局のアンテナと協調通信しながら、集中操作を行い、移動局の周辺に集中電界を形成する。よって、移動局のアンテナは、比較的に電界強度が強い位置に位置することができる（特許文献１参照）。
【０００６】
（２）仮想MIMO技術に基づく方法：マルチ基地局の複数本のアンテナを、より多いアンテナを備えている単一基地局MIMOシステムと仮想して、比較的に高い空間多重化の効果と空間ダイバーシティの効果とを得ることができる。なお、繰り返して単一基地局のMIMOシステムを利用する構成は、マルチアンテナマルチ基地局システムを実現するための複雑度を低下させることができる（非特許文献１参照）。
【０００７】
（３）単一基地局の単独作動に基づく方法：マルチアンテナを備えている単一基地局は、独立的にユーザ装置（移動局）にサービスを提供し、ユーザ装置は、単一基地局からの複数のデータを積み重ねることによって、比較的に高い空間多重化の効果と空間ダイバーシティの効果とを得ることができる。該当方法は、容易に実現できるし、シグナリング支出が少ない（非特許文献２参照）。
【先行技術文献】
【特許文献】
【０００８】
【特許文献１】中国特許「CN１０１０４７４１５」号公報、２００７年５月８日
【非特許文献】
【０００９】
【非特許文献１】3GPP文献、R1−082501号、「Collaborative MIMO for LTE-A downlink」、Alcatel-Lucent社、3GPP TSG RAN WG1 Meeting #53bis、Warsaw, Poland, June 30 - July 4, 2008
【非特許文献２】3GPP文献、R1−082497号、「Network MIMO Precoding」、Texas Instruments社、3GPP TSG RAN WG1 Meeting #53bis、Warsaw, Poland, June 30 - July 4, 2008
【発明の概要】
【発明が解決しようとする課題】
【００１０】
しかしながら、上述の方法（１）は、エネルギー的にマルチアンテナマルチ基地局間協調通信を実現しているにすぎない。また、システムの性能は、地理位置にも密接な関係があるため、上記方法（１）は応用範囲が限られている。
【００１１】
上述の方法（２）は、概念的な記述に偏重し、マルチアンテナマルチ基地局におけるユーザ（移動局）配置、ユーザ（移動局）フィードバック等の重要な問題については開示されていない。
【００１２】
上述の方法（３）は、容易に実現できる利点を有するが、完全に独立した単一基地局の動作は、マルチアンテナマルチ基地局間協調通信の優位性を活かせず、性能が低下しているという問題が生じる。
【００１３】
本発明は、上記の問題点に鑑みてなされたものであり、その目的は、セルラーシステム下りリンクにおいて、複数の基地局間の協調通信方法及び基地局を提供することにある。
【課題を解決するための手段】
【００１４】
本発明の基地局間の協調通信方法は、セルラーシステム下りリンクにおける基地局間の協調通信方法であって、サービング基地局が、ユーザ装置が上記基地局間の協調通信モードに入っているかを判断する第一ステップと、上記サービング基地局が、上記ユーザ装置に対して下りリンク制御信号を用いて配置を行う第二ステップと、上記ユーザ装置が、上記サービング基地局及び受信した配置情報が示す協調通信基地局のシステム情報、およびチャネル状態情報を取得する第三ステップと、上記ユーザ装置が、上記ユーザ装置と上記サービング基地局および上記協調通信基地局間の下りリンクチャネルのチャネル状態情報をフィードバックする第四ステップと、上記サービング基地局が、上記フィードバックされたチャネル状態情報に基づいて、リソーススケジューリングとバックグランド通信とを行う第五ステップと、上記ユーザ装置が、下りリンクリソースの分配指示を受信する第六ステップとを含むことを特徴としている。
【００１５】
また、上記第一ステップにおいて、上記サービング基地局は、上記ユーザ装置の地理位置と、上記ユーザ装置のパス損失と、下りリンク通信データを記憶する送信バッファメモリにおける当該下りリンク通信データの量とのうち、少なくとも１つに基づいて、上記ユーザ装置を特定することが好ましい。
【００１６】
また、上記第二ステップにおいて、上記配置情報には、少なくとも上記協調通信基地局のセル番号と、当該協調通信基地局から上記ユーザ装置へ送信する下りリンク通信データの伝送方式とが含まれていることが好ましい。
【００１７】
また、上記第二ステップにおいて、上記配置情報には、少なくとも上記協調通信基地局のセル番号と当該協調通信基地局におけるアンテナの設置情報とが含まれていることが好ましい。
【００１８】
また、上記第三ステップにおいて、上記ユーザ装置が取得する上記サービング基地局および上記協調通信基地局のシステム情報には、少なくとも当該サービング基地局および協調通信基地局におけるアンテナの設置情報が含まれていることが好ましい。
【００１９】
また、上記第三ステップにおいて、上記ユーザ装置は、上記サービング基地局の報知チャネルを介して該当サービング基地局のシステム情報を取得し、上記協調通信基地局の報知チャネルを介して当該協調通信基地局のシステム情報を取得することが好ましい。
【００２０】
また、上記第三ステップにおいて、上記ユーザ装置は、上記サービング基地局の報知チャネルを介して該当サービング基地局のシステム情報を取得し、上記第二ステップにおいて、上記配置情報に基づいて上記協調通信基地局のシステム情報を取得することが好ましい。
【００２１】
また、上記第四ステップにおいて、上記ユーザ装置は、上記チャネル状態情報を、上記サービング基地局のみにフィードバックすることが好ましい。
【００２２】
また、上記第四ステップにおいて、上記ユーザ装置は、上記チャネル状態情報を、上記サービング基地局と上記協調通信基地局とにそれぞれにフィードバックすることが好ましい。
【００２３】
また、上記第五ステップにおいて、上記サービング基地局は、上記ユーザ装置から上記チャネル状態情報を受信することが好ましい。
【００２４】
また、上記第五ステップにおいて、上記協調通信基地局が、上記チャネル状態情報を、バックグランド通信により該当サービング基地局に送信することが好ましい。
【００２５】
また、上記第五ステップにおいて、上記バックグランド通信には、上記サービング基地局が上記協調通信基地局に送信するデータが含まれており、当該データには少なくとも上記リソーススケジューリングの結果と下りリンク通信データとが含まれていることが好ましい。
【００２６】
また、上記第六ステップにおいて、上記ユーザ装置は、上記サービング基地局から上記リソース分配指示を受信し、当該リソース分配指示には、上記下りリンクリソースの割り当て情報と、上記サービング基地局がデータを送信するために必要なプレコーディング情報とのうち、少なくとも１つが含まれていることが好ましい。
【００２７】
また、上記第六ステップにおいて、上記ユーザ装置は、上記サービング基地局から上記リソース分配指示を受信し、当該リソース分配指示には、上記下りリンクリソースの割り当て情報と、上記サービング基地局がデータを送信するために必要なプレコーディング情報と、上記協調通信基地局がデータを送信するために必要なプレコーディング情報とのうち、少なくとも１つが含まれていることが好ましい。
【００２８】
また、上記第六ステップにおいて、上記ユーザ装置は、上記サービング基地局および協調通信基地局から上記リソース分配指示を受信し、当該リソース分配指示には、上記下りリンクリソースの割り当て情報と、上記サービング基地局および上記協調通信基地局がデータを送信するために必要なプレコーディング情報とのうち、少なくとも１つが含まれていることが好ましい。
【００２９】
本発明の他の目的、特徴、および優れた点は、以下に示す記載によって十分分かるであろう。また、本発明の利点は、添付図面を参照した以下の説明で明白になるであろう。
【発明の効果】
【００３０】
本発明に係るセルラーシステム下りリンクにおけるマルチアンテナマルチ基地局間協調通信の方法及び基地局は、ユーザ装置、ユーザのフィードバック、リソース分配指示等の内容が含まれており、適用範囲が広く、シグナリングが合理的で、実現が容易である等の利点を備えている。
【図面の簡単な説明】
【００３１】
【図１】ＭＩＭＯシステムを模式的に示す図である。
【図２】マルチセルのセルラー通信システムを模式的に示す図である。
【図３】本発明の実施例に係るセルラーシステム下りリンクにおけるマルチアンテナマルチ基地局間協調通信の方法を示すフロチャートである。
【図４】本発明の実施例の応用例１を模式的に示す図である。
【図５】本発明の実施例の応用例２を模式的に示す図である。
【図６】本発明の実施例の応用例３を模式的に示す図である。
【図７】本発明の実施例の応用例４を模式的に示す図である。
【図８】本発明の実施例に係るセルラーシステム下りリンクにおける、マルチアンテナマルチ基地局間協調通信の方法を実現する基地局を模式的に示す図である。
【発明を実施するための形態】
【００３２】
以下、図を参照しながら、本発明に係る好ましい実施例を詳細に説明する。なお、説明の過程において、本発明への理解が混淆することを防止するため、本発明の説明において必要としない構成及び機能に対する説明を省略する。
【００３３】
本発明の実現ステップを詳細かつ明確に説明するために、本発明の、LTEセルラー通信システムに適用される具体的な実施例を以下に説明する。本発明の通信システムは、サービング基地局を含む複数の基地局を介してユーザ装置（移動局）に下りリンク通信データ（下りリンクデータ）を送信するものである。また、本発明の基地局の協調通信方法は、上記通信システムにおいて、複数の基地局を協調させる方法である。上記下りリンク通信データとは、基地局から移動局（ユーザ装置）へ送信される下り方向のデータの総称である。この下りリンク通信データは、例えば、音声データ、画像データ、動画データ、テキストデータであるが、その内容は特に限定されない。なお、本発明は、上記実施例に限定されるものではなく、他の通信システムにも適用されることも可能である。
【００３４】
図２は、マルチセルのセルラー通信システムを模式的に示す図である。サービスカバレッジ区域は、セルラーシステムにより、隣接した無線カバレッジ区域、即ちセルに分割されている。セルは、図２に示すように、正六角形に描かれており、全体のサービス区域は、セル１００〜１０４の繋ぎ合わせによって形成される。
【００３５】
基地局２００〜２０４は、それぞれセル１００〜１０４に関連している。基地局２００〜２０４ごとに、一つの送信機、一つの受信機、及び一つの基地局制御ユニットが備えられているが、これは本技術分野では公知されているものである。図２に示すように、基地局２００〜２０４は、それぞれセル１００〜１０４のいずれかの区域に配置され、少なくとも１つの全方向性アンテナを備えている。ただし、セルラー通信システムにおけるセル分布において、基地局２００〜２０４に対して少なくとも１つの指向性アンテナを配置し、指向性を持たせて、セル１００〜１０４の一部区域を覆ってもよい。この一部区域は、一般にセクタ領域と称される。なお、図２に示すマルチセルを有するセルラー通信システムは、あくまでも、本発明を説明するためのものであって、本発明のセルラーシステムの実施は、上述の特定条件に限定されるべきものではない。
【００３６】
基地局２００〜２０４は、図２に示すように、Ｘ２インターフェイス３００〜３０４を介して互いに通信可能になっている。LTEシステムにおいては、基地局、無線ネットワーク制御ユニットと、コアネットワークの３層ノードネットワークの構造から２層ノード構造に略されている。その中で、基地局が、無線ネットワーク制御ユニットの機能を備えており、基地局と基地局との間で「Ｘ２」という有線インターフェイスを介して協調と通信とを行う。
【００３７】
図２に示すように、セル１００〜１０４の中には数個のユーザ装置（移動局）４００〜４３０が分布されている。ユーザ装置４００〜４３０ごとに、一つの送信機、一つの受信機、及び一つの移動局制御ユニットが備えられているが、これは本技術分野では公知されているものである。また、ユーザ装置４００〜４３０は、複数の基地局から送信されたデータを受信するための複数のアンテナを備えている。移動局４００〜４３０は、それぞれ自装置にサービスを提供するサービング基地局（基地局２００〜２０４中の一つ）を介してセルラー通信システムにアクセスする。
【００３８】
ユーザ装置は、いわゆる移動局装置であり、例えば携帯電話、ＰＤＡ（personal digital assistant）、携帯型パーソナルコンピュータ、携帯型ゲーム機である。
【００３９】
なお、図２にはユーザ装置が１６個しか配置されていないが、実際に配置されるユーザ装置の数は膨大である。よって、図２で描かれたユーザ装置は、本発明を説明するため模式的に示されたものである。
【００４０】
また、ユーザ装置４００〜４３０は、それぞれ自装置にサービスを提供する基地局２００〜２０４を介してセルラー通信ネットワークにアクセスするが、ユーザ装置に対して直接に通信サービスを提供する基地局は、該当ユーザ装置のサービング基地局（Serving eNodeB）と称され、他の基地局は該当ユーザ装置の非サービング基地局と称される。非サービング基地局は、サービング基地局の協調通信基地局として、サービング基地局とともにユーザに通信サービスを提供することができる。
【００４１】
本実施例のLTEシステムの具体的な配置に関しては、3GPP組織の文献：TS、36．213、V8．3．0、「Evolved Universal Terrestrial Radio Access(E-UTRA)；Physical Layer Procedures」を参照する。上記文献には、７種の下りリンクデータの伝送方式が定義されている。具体的には、単一アンテナ送信（即ち、一本のアンテナを使用して信号を送信することであって、MIMOシステムの特例である。該方式によって単層のデータのみ伝送する。）、送信ダイバーシティ（即ち、MIMOシステムにおいて、信号の受信品質を向上させるため時間または／及び周波数のダイバーシティ効果を用いて信号を送信する。該方式によって単層のデータのみ伝送する。）、開ループ空間分割多重化（即ち、ユーザ装置からのチャネル状態情報をフィードバックすることを必要としない空間分割多重化である。）、閉ループ空間分割多重化（即ち、ユーザ装置からのチャネル状態情報をフィードバックすることを必要とする空間分割多重化である。）、マルチユーザMIMO（即ち、マルチユーザが同時かつ同じ周波数でMIMOシステムの下りリンク通信に参与する。）、閉ループ単層プレコーディング（即ち、MIMOシステムにおいてプレコーディング技術を用いることであって、単層のデータのみ伝送する。）、ビームフォーミング送信（即ち、MIMOシステムにおいてビームフォーミング技術を用いることであって、単層のデータのみ伝送する。）などが挙げられる。
【００４２】
本実施形態に関する説明において、以下のようなマルチアンテナマルチ基地局間協調通信の方法が採用されている。即ち、ユーザ装置のサービング基地局と協調通信基地局とは、単層のデータのみ伝送することになっている。したがって、サービング基地局、協調通信基地局が選択できる下りリンクデータの伝送方式としては、単一アンテナ送信、送信ダイバーシティ、単層の開ループ空間分割多重化、閉ループ単層プレコーディング、単層のマルチユーザMIMO、ビームフォーミング等６種がある。なお、異なる基地局が、同様な単層データを送信する時、基地局の間で空間ダイバーシティ（マクロダイバーシティとも称される）が形成される。また、異なる基地局が異なる単層データを送信する時、基地局の間で空間多重化が形成される。ここで、本発明に係る具体的な実施例として、上記のような、マルチアンテナマルチ基地局間協調通信の方法を利用することが挙げられているが、本発明の実施の過程で上述特定条件に限定されるべきものではない。
【００４３】
図３は、本発明の実施例に係るセルラーシステム下りリンクにおけるマルチアンテナマルチ基地局間協調通信の方法を示すフロチャートである。図３に示すように、本発明の実施例に係る方法は以下のようなステップを備えている。
【００４４】
ステップ５００：サービング基地局は、ユーザ装置がマルチアンテナマルチ基地局間協調通信という動作モードに入っているかどうかを判定する（特定ステップ）。
【００４５】
上記サービング基地局は、ユーザ装置がマルチアンテナマルチ基地局間協調通信という動作モードに入っているかを判定する時に、判定要素としては、ユーザ装置の地理位置、ユーザ装置のパス損失、ユーザ装置の下りリンクデータのバッファ状態のうち、少なくとも１つを用いる。ただし、上記各パラメータは、例として挙げられたものに過ぎず、本発明において上記パラメータに限られるべきものではない。例えば、本技術分野の一般的な技術者として、必要に応じて及び未来の進歩した技術に応じて、他の適切なパラメータを選択することができる。
【００４６】
本実施例では、図２に示すように、マルチセルのセルラーシステムにおける基地局２００のセルにおいて、ユーザ装置４００〜４１４は、各ユーザ装置から基地局２００までのパス損失の値に基づいて、複数のグループに分けられている。例えば、ユーザ装置４００〜４０６は中心ユーザ装置に、ユーザ装置４０８〜４１４は境界ユーザ装置に分類される。
【００４７】
基地局２０２のセルにおいて、ユーザ装置４１６〜４２２は、各ユーザ装置から基地局２０２までのパス損失の値に基づいて、複数のグループに分けられている。例えば、ユーザ装置４１８〜４２２は中心ユーザ装置に、ユーザ装置４１６は境界ユーザ装置に分けられる。
【００４８】
基地局２０４のセルにおいて、ユーザ装置４２４〜４３０は、各ユーザ装置から基地局２０４までのパス損失の値に基づいて、複数のグループに分けられている。例えば、ユーザ装置４２４〜４２６は中心ユーザ装置に、ユーザ装置４２８〜４３０は境界ユーザ装置に分けられる。
【００４９】
ここで、ユーザ装置から基地局までのパス損失の値に基づいて、ユーザ装置を中心ユーザ装置と境界ユーザ装置に分けることは、あくまでも、適切なユーザ装置を選択して、マルチアンテナマルチ基地局間協調通信という動作モードに入らせる例を挙げるためであり、ユーザ装置が上記マルチアンテナマルチ基地局間協調通信という動作モードに入っているかどうかを判定する時に、必ずしも上述のグループに分ける過程を行う必要はない。
【００５０】
仮に、サービング基地局は、全ての境界ユーザ装置がマルチアンテナマルチ基地局間協調通信という動作モードに入っていると判定すれば、基地局２０２の場合には、ユーザ装置４１６がマルチアンテナマルチ基地局間協調通信という動作モードに入っていることが分かる。ここで、上述のような、マルチアンテナマルチ基地局間協調通信という動作モードに入っているユーザ装置を選択することは、ただユーザ装置がマルチアンテナマルチ基地局間協調通信という動作モードに切り替えた例として挙げられる。ユーザ装置がマルチアンテナマルチ基地局間協調通信という動作モードに入っているかどうかの判定に関して、本発明の実施の過程で上述の特定条件に限定されるべきものではない。
【００５１】
また、サービング基地局は、下りリンクデータの送信バッファメモリに記憶された下りリンクデータ量が閾値Ｋより大きい全ての境界ユーザ装置がマルチアンテナマルチ基地局間協調通信という動作モードに入っていると判定してもよい。この場合、基地局２０２を例として挙げれば、ユーザ装置４１６へ送信される下りリンクデータを記憶する送信バッファメモリにおける上記下りリンクデータ量が閾値Ｋより大きいと判定した場合、ユーザ装置４１６がマルチアンテナマルチ基地局間協調通信という動作モードに入っていることになる。
【００５２】
ここで、上述のような、マルチアンテナマルチ基地局間協調通信という動作モードに入っているユーザ装置を選択することは、ただユーザ装置がマルチアンテナマルチ基地局間協調通信という動作モードに切り替えた例として挙げられる。ユーザ装置がマルチアンテナマルチ基地局間協調通信という動作モードに入っているかどうかの判定に関して、本発明の実施の過程で上述の特定条件に限定されるべきものではない。
【００５３】
ステップ５０５：サービング基地局は下りリンク制御信号を用いて、ユーザ装置に対して協調通信基地局の配置（割り当て）を行う（第１送信ステップ）。
【００５４】
上記下りリンク制御信号の配置情報には、少なくとも、協調通信基地局のセル番号と下りリンクデータの伝送方式とが含まれていることが好ましい。
【００５５】
また、上記下りリンク制御信号の配置情報には、少なくとも、協調通信基地局のセル番号と協調通信基地局におけるアンテナの設置情報とが含まれていることが好ましい。上記アンテナの設置情報とは、例えば、サービング基地局、他の協調通信基地局が備える送信アンテナの本数である。
【００５６】
本実施例において、四つの応用例を用いて説明を行う。
【００５７】
応用例１：サービング基地局が送信する下りリンク制御信号の配置情報は、協調通信基地局のセル番号と下りリンクデータの伝送方式とを含む。図４は、その実施の様子を模式的に示す図である。図４において、基地局２０２は、ユーザ装置４１６のサービング基地局とし、基地局２００と基地局２０４は、ユーザ装置４１６の協調通信基地局と仮定する。また、協調通信基地局２００の下りリンクデータの伝送方式を送信ダイバーシティに、協調通信基地局２０４の下りリンクデータの伝送方式を、単層の開ループ空間分割多重化に仮定する。よって、サービング基地局２０２は、下りリンク制御信号６００を用いて、基地局２００及び基地局２０４のセル番号と、基地局２００及び基地局２０４の下りリンクデータの伝送方式とを含むマルチアンテナマルチ基地局方法における配置情報をユーザ装置４１６に送信する。
【００５８】
なお、サービング基地局である基地局２０２の下りリンクデータの伝送方式は、下りリンク制御信号がユーザ装置４１６に送信されるときに当該ユーザ装置４１６に通知されてもよいし、予め定められていてもよいし、ユーザ装置４１６が基地局２０２のセル１０２に入った後の適当なタイミングで当該ユーザ装置４１６に通知されてもよい。
【００５９】
応用例２：サービング基地局が送信する下りリンク制御信号の配置情報は、協調通信基地局のセル番号と、下りリンクデータの伝送方式と、アンテナの設置情報とを含む。図５は、その実施の様子を模式的に示す図である。図５において、基地局２０２は、ユーザ装置４１６のサービング基地局とし、基地局２００と基地局２０４は、ユーザ装置４１６の協調通信基地局と仮定する。また、協調通信基地局２００は、その下りリンクデータの伝送方式が、閉ループ単層プレコーディングであり、４本の送信アンテナが配置されていることとし、協調通信基地局２０４は、その下りリンクデータの伝送方式がビームフォーミング送信であり、４本の送信アンテナが配置されていることとする。よって、サービング基地局２０２は、下りリンク制御信号６２０を用いて、基地局２００及び基地局２０４のセル番号と、基地局２００及び基地局２０４の下りリンクデータの伝送方式と、基地局２００及び基地局２０４のアンテナの設置情報とを含む、マルチアンテナマルチ基地局方法における配置情報をユーザ装置４１６に送信する。
【００６０】
応用例３：サービング基地局が送信する下りリンク制御信号の配置情報は、協調通信基地局のセル番号とアンテナの設置情報とを含む。図６は、その実施の様子を模式的に示す図である。図６において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て閉ループ単層プレコーディングだとすれば、協調通信基地局の下りリンクデータの伝送方式をユーザ装置４１６に知らせる必要が無くなる。
【００６１】
よって、サービング基地局２０２は、下りリンク制御信号６４０を用いて、基地局２００及び基地局２０４のセル番号と、基地局２００及び基地局２０４のアンテナの設置情報とを含む、マルチアンテナマルチ基地局方法における配置情報をユーザ装置４１６に送信する。なお、協調通信基地局２００及び協調通信基地局２０４にはそれぞれ４本の送信アンテナが配置されている。
【００６２】
応用例４：サービング基地局が送信する下りリンク制御信号の配置情報は、協調通信基地局のセル番号とアンテナの設置情報とを含む。図７は、その実施の様子を模式的に示す図である。図７において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て単層のマルチユーザMIMOであるとする。ユーザ装置４１６、４１０、４３０は、一つの、マルチユーザグループを構成する。したがって、協調通信基地局の下りリンクデータの伝送方式をユーザ装置４１６に知らせる必要が無くなる。よって、サービング基地局２０２は、下りリンク制御信号６６０を用いて、基地局２００及び基地局２０４のセル番号と、基地局２００及び基地局２０４のアンテナの設置情報とを含む、マルチアンテナマルチ基地局方法における配置情報をユーザ装置４１６に送信する。なお、協調通信基地局２００及び協調通信基地局２０４にはそれぞれ４本の送信アンテナが配置されている。
【００６３】
ここで、上述の応用例１〜応用例４は、本発明において、サービング基地局の下りリンク制御信号の配置情報に係る実施例である。なお、本発明において、サービング基地局の下りリンク制御信号の配置情報は、上記応用例１〜例４に限られるべきものではない。
【００６４】
ステップ５１０：ユーザ装置が、サービング基地局及び受信した配置情報が示す協調通信基地局のシステム情報、およびチャネル状態情報を取得する（取得ステップ）。
【００６５】
上記ユーザ装置が取得した、サービング基地局及び各協調通信基地局のシステム情報には、少なくともアンテナの設置情報が含まれていることが好ましい。
【００６６】
上記ユーザ装置が取得した、サービング基地局及び各協調通信基地局のシステム情報は、ユーザ装置がサービング基地局の報知チャネルを介して取得したサービング基地局のシステム情報であり、ユーザ装置が各協調通信基地局の報知チャネルを介して取得した各協調通信基地局のシステム情報であることが好ましい。
【００６７】
上記ユーザ装置が取得した、サービング基地局及び各協調通信基地局のシステム情報は、ユーザ装置がサービング基地局の報知チャネルを介して取得したサービング基地局のシステム情報と、ユーザ装置がステップ５０５の下りリンク制御信号の配置情報に基づいて取得した各協調通信基地局のシステム情報であることが好ましい。
【００６８】
ユーザ装置は、サービング基地局及び各協調通信基地局のシステム情報を取得すると、サービング基地局及び各協調通信基地局の下りリンク参照信号を検出することによって、サービング基地局及び各協調通信基地局のチャネル状態情報を取得する。そして、ユーザ装置は、取得したチャネル状態情報をサービング基地局（および協調通信基地局）へ送信する。
【００６９】
具体的には、ユーザ装置は、下りリンク参照信号の受信状態からチャネルの状態を測定し、その測定結果を示すチャネル状態情報を生成する。また、ユーザ装置は、下りリンク参照信号の受信状態から、ＭＩＭＯの空間多重数や受信可能な伝送速度などを含む好ましい送信モードを算出し、その算出結果をチャネル状態情報としてサービング基地局（および協調通信基地局）へ送信してもよい。
【００７０】
本実施例において、四つの応用例を用いて説明を行う。
【００７１】
応用例１：ユーザ装置は、アンテナの設置情報を少なくとも含むサービング基地局のシステム情報を、サービング基地局の報知チャネルを介して取得するとともに、アンテナの設置情報を少なくとも含む各協調通信基地局のシステム情報を、各協調通信基地局の報知チャネルを介して取得する。次に、ユーザ装置は、サービング基地局及び各協調通信基地局の下りリンク参照信号に基づいて、サービング基地局及び各協調通信基地局のチャネル状態情報を取得する。
【００７２】
図４は、その実施の様子を模式的に示す図である。図４において、基地局２０２は、ユーザ装置４１６のサービング基地局とし、基地局２００と基地局２０４は、ユーザ装置４１６の協調通信基地局と仮定する。また、協調通信基地局２００の下りリンクデータの伝送方式を送信ダイバーシティに、協調通信基地局２０４の下りリンクデータの伝送方式を単層の開ループ空間分割多重化に仮定する。一般的に、ユーザ装置４１６は、サービング基地局２０２の報知チャネルを介してサービング基地局のシステム情報を取得し、そのシステム情報には、基地局２０２に４本の送信アンテナが配置されていることに関する情報が少なくとも含まれている。これは、セルラー通信の場合、必ず行うべきステップであり、ここでは詳細な説明を省略する。
【００７３】
図４において、ユーザ装置４１６は、基地局２００の報知チャネル（破線６０２で示す）により、基地局２００のシステム情報を取得し、そのシステム情報は、基地局２００に４本の送信アンテナが配置されていることに関する情報が少なくとも含まれている。また、ユーザ装置４１６は、基地局２０４の報知チャネル（破線６０４で示す）により、基地局２０４のシステム情報を取得し、そのシステム情報は、基地局２０４に４本の送信アンテナが配置されていることに関する情報が少なくとも含まれている。
【００７４】
その後、ユーザ装置４１６は、サービング基地局及び各協調通信基地局の下りリンク参照信号を検出することにより、サービング基地局及び各協調通信基地局のチャネル状態情報（参照信号の検出過程６０６で示す）を取得する。
【００７５】
応用例２：ユーザ装置は、サービング基地局の報知チャネルを介して、アンテナの設置情報を少なくとも含むサービング基地局のシステム情報を取得するとともに、ステップ５０５の下りリンク制御信号における配置情報により、アンテナの設置情報を少なくとも含む各協調通信基地局のシステム情報を取得する。
【００７６】
次に、ユーザ装置は、サービング基地局及び各協調通信基地局の下りリンク参照信号に基づいて、サービング基地局及び各協調通信基地局のチャネル状態情報を取得する。図５は、その実施の様子を模式的に示す図である。図５において、基地局２０２は、ユーザ装置４１６のサービング基地局とし、基地局２００と基地局２０４は、ユーザ装置４１６の協調通信基地局と仮定する。また、協調通信基地局２００は、その下りリンクデータの伝送方式が、閉ループ単層プレコーディングであり、４本の送信アンテナが配置されていることとする。協調通信基地局２０４は、その下りリンクデータの伝送方式がビームフォーミング送信であり、４本の送信アンテナが配置されていることとする。
【００７７】
一般的に、ユーザ装置４１６は、サービング基地局２０２の報知チャネルにより、サービング基地局のシステム情報を取得し、そのシステム情報は、基地局２０２に４本の送信アンテナが配置されていることに関する情報が少なくとも含まれている。これは、セルラー通信の場合、必ず行うべきステップであり、ここでは詳細な説明を省略する。
【００７８】
図５において、ユーザ装置４１６は、ステップ５０５の下りリンク制御信号の配置情報（下りリンク制御信号６２０に含まれている）に基づいて、基地局２００と基地局２０４それぞれのシステム情報を取得し、そのシステム情報は、基地局２００と基地局２０４それぞれに４本の送信アンテナが配置されていることに関する情報が少なくとも含まれている。
【００７９】
その後、ユーザ装置４１６は、サービング基地局２０２と協調通信基地局２００と基地局２０４とからの下りリンク参照信号を検出することにより、サービング基地局と各協調通信基地局のチャネル状態情報（参照信号の検出過程６０６で示す）を取得する。
【００８０】
応用例３：ユーザ装置は、サービング基地局の報知チャネルを介して、アンテナの設置情報を少なくとも含むサービング基地局のシステム情報を取得するとともに、ステップ５０５の下りリンク制御信号における配置情報により、アンテナの設置情報を少なくとも含む各協調通信基地局のシステム情報を取得する。
【００８１】
次に、ユーザ装置は、サービング基地局及び各協調通信基地局の下りリンク参照信号に基づいて、サービング基地局及び各協調通信基地局のチャネル状態情報を取得する。図６は、その実施の様子を模式的に示す図である。図６において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て閉ループ単層プレコーディングだとする。なお、協調通信基地局２００と協調通信基地局２０４それぞれには４本の送信アンテナが配置されている。
【００８２】
一般的に、ユーザ装置４１６は、サービング基地局２０２の報知チャネルにより、サービング基地局のシステム情報を取得し、そのシステム情報は、基地局２０２に４本の送信アンテナが配置されていることに関する情報が少なくとも含まれている。これは、セルラー通信の場合、必ず行うべきステップであり、ここでは詳細な説明を省略する。
【００８３】
図６において、ユーザ装置４１６は、ステップ５０５の下りリンク制御信号の配置情報（下りリンク制御信号６４０に含まれる）に基づいて、基地局２００と基地局２０４それぞれのシステム情報を取得し、そのシステム情報は、基地局２００と基地局２０４とにそれぞれ４本の送信アンテナが配置されていることに関する情報が少なくとも含まれている。
【００８４】
その後、ユーザ装置４１６は、サービング基地局２０２と協調通信基地局２００と協調通信基地局２０４からの下りリンク参照信号を検出することにより、サービング基地局と各協調通信基地局のチャネル状態情報（参照信号の検出過程６０６で示す）を取得する。
【００８５】
応用例４：ユーザ装置は、サービング基地局の報知チャネルを介して、アンテナの設置情報を少なくとも含むサービング基地局のシステム情報を取得するとともに、ステップ５０５の下りリンク制御信号における配置情報により、アンテナの設置情報を少なくとも含む各協調通信基地局のシステム情報を取得する。
【００８６】
次に、ユーザ装置は、サービング基地局及び各協調通信基地局の下りリンク参照信号に基づいて、サービング基地局及び各協調通信基地局のチャネル状態情報を取得する。図７は、その実施の様子を模式的に示す図である。図７において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て単層のマルチユーザMIMOである。ユーザ装置４１６、４１０、４３０は、一つの、マルチユーザグループを構成する。なお、協調通信基地局２００と協調通信基地局２０４それぞれには４本の送信アンテナが配置されている。
【００８７】
一般的に、ユーザ装置４１６は、サービング基地局２０２の報知チャネルにより、サービング基地局のシステム情報を取得し、そのシステム情報は、基地局２０２に４本の送信アンテナが配置されていることに関する情報が少なくとも含まれている。これは、セルラー通信の場合、必ず行うべきステップであり、ここでは詳細な説明を省略する。
【００８８】
図７において、ユーザ装置４１６は、ステップ５０５の下りリンク制御信号の配置情報（下りリンク制御信号６６０に含まれる）に基づいて、基地局２００と基地局２０４それぞれのシステム情報を取得し、そのシステム情報は、基地局２００と基地局２０４とにそれぞれ４本の送信アンテナが配置されていることに関する情報が少なくとも含まれている。
【００８９】
その後、ユーザ装置４１６は、サービング基地局２０２と協調通信基地局２００と協調通信基地局２０４とからの下りリンク参照信号を検出することにより、サービング基地局と各協調通信基地局のチャネル状態情報（参照信号の検出過程６０６で示す）を取得する。
【００９０】
ここで、上述の応用例１〜応用例４は、本発明において、ユーザ装置がサービング基地局と各協調通信基地局のシステム情報及びチャネル状態情報を取得する実施例である。なお、本発明において、ユーザ装置がサービング基地局と各協調通信基地局のシステム情報及びチャネル状態情報を取得することは、上記応用例１〜例４に限られるべきものではない。
【００９１】
ステップ５１５：ユーザ装置が、当該ユーザ装置とサービング基地局および協調通信基地局間の下りリンクチャネルのチャネル状態情報をフィードバックする（フィードバックステップ）。
【００９２】
上記ユーザ装置は、サービング基地局及び各協調通信基地局のチャネル状態情報をサービング基地局のみにフィードバックすることが好ましい。
【００９３】
上記ユーザ装置は、サービング基地局及び各協調通信基地局のチャネル状態情報を、サービング基地局と各協調通信基地局とのそれぞれにフィードバックすることが好ましい。
【００９４】
本実施例において、四つの応用例を用いて説明を行う。
【００９５】
応用例１：ユーザ装置は、サービング基地局及び各協調通信基地局のチャネル状態情報を、サービング基地局のみにフィードバックする。図４は、その実施を模式的に示す図である。図４において、基地局２０２は、ユーザ装置４１６のサービング基地局とし、基地局２００及び基地局２０４は、ユーザ装置４１６の協調通信基地局と仮定する。また、サービング基地局２０２の下りリンクデータの伝送方式を閉ループ単層プレコーディングに、協調通信基地局２００の下りリンクデータの伝送方式を送信ダイバーシティに、協調通信基地局２０４の下りリンクデータの伝送方式を単層の開ループ空間分割多重化に仮定する。
【００９６】
協調通信基地局２００及び協調通信基地局２０４の下りリンクデータの伝送方式では、ユーザ装置によりチャネル状態情報がフィードバックされる必要がない。よって、ユーザ装置４１６は、サービング基地局２０２のみにサービング基地局２０２のチャネル状態情報を送信すればいい（フィードバック過程７００で示す）。
【００９７】
応用例２：ユーザ装置は、協調通信基地局のそれぞれに、サービング基地局と各協調通信基地局のチャネル状態情報をフィードバックする。図５は、その実施の様子を模式的に示す図である。図５において、基地局２０２は、ユーザ装置４１６のサービング基地局とし、基地局２００と基地局２０４は、ユーザ装置４１６の協調通信基地局と仮定する。また、サービング基地局２０２の下りリンクデータの伝送方式を送信ダイバーシティに、協調通信基地局２００の下りリンクデータの伝送方式を閉ループ単層プレコーディングに、協調通信基地局２０４の下りリンクデータの伝送方式をビームフォーミング送信に仮定する。
【００９８】
サービング基地局２０２の下りリンクデータの伝送方式では、ユーザ装置によりチャネル状態情報がフィードバックされる必要がないため、ユーザ装置４１６は、協調通信基地局２００及び協調通信基地局２０４のチャネル状態情報を協調通信基地局２００と協調通信基地局２０４とのそれぞれに送信すればいい（フィードバック過程７１０、７１２で示す）。
【００９９】
応用例３：ユーザ装置は、サービング基地局及び協調通信基地局のそれぞれに、サービング基地局と各協調通信基地局のチャネル状態情報をフィードバックする。図６は、その実施の様子を模式的に示す図である。図６において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て閉ループ単層プレコーディングだとする。
【０１００】
サービング基地局２０２、協調通信基地局２００、協調通信基地局２０４それぞれの下りリンクデータの伝送方式では、ユーザ装置によりチャネル状態情報がフィードバックされる必要があるため、ユーザ装置４１６は、サービング基地局２０２、協調通信基地局２００、協調通信基地局２０４のチャネル状態情報を、サービング基地局２０２、協調通信基地局２００、協調通信基地局２０４それぞれに送信する（フィードバック過程７２０、７２２、７２４で示す）。
【０１０１】
応用例４：ユーザ装置は、サービング基地局及び各協調通信基地局のチャネル状態情報をサービング基地局のみにフィードバックする。図７は、その実施の様子を模式的に示す図である。図７において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て単層のマルチユーザMIMOである。ユーザ装置４１６、４１０、４３０は、一つの、マルチユーザグループを構成する。
【０１０２】
サービング基地局２０２、協調通信基地局２００、協調通信基地局２０４それぞれの下りリンクデータの伝送方式では、ユーザ装置により下りリンクチャネルのチャネル状態情報がフィードバックされる必要があるため、ユーザ装置４１６は、サービング基地局２０２、協調通信基地局２００、協調通信基地局２０４それぞれのチャネル状態情報を、サービング基地局２０２に送信する（フィードバック過程７３０で示す）。
【０１０３】
ここで、上述の応用例１〜応用例４は、本発明において、ユーザ装置がサービング基地局及び各協調通信基地局のチャネル状態情報をフィードバックする実施例である。なお、本発明において、ユーザ装置がサービング基地局及び各協調通信基地局の下りリンクチャネルのチャネル状態情報をフィードバックする様式については、上記応用例１〜応用例４の様式に限られるべきものではない。
【０１０４】
ステップ５２０：サービング基地局が、サービング基地局及び各協調通信基地局からユーザ装置への下りリンクチャネルのチャネル状態情報を取得し、リソーススケジューリングとバックグランド通信とを行う。
【０１０５】
上記サービング基地局は、ユーザ装置のフィードバックに基づいて、リソース分配に必要とするチャネル状態情報を取得することが好ましい。
【０１０６】
各協調通信基地局は、サービング基地局がリソース分配を行うために必要とするチャネル状態情報を、バックグラント通信を介して、上記サービング基地局に送信することが好ましい。
【０１０７】
上記バックグランド通信の中には、サービング基地局から各協調通信基地局に送信するデータが含まれており、該当データは、リソーススケジューリング結果と、下りリンク通信データとを少なくとも含むことが好ましい。
【０１０８】
本実施例において、四つの応用例を用いて説明を行う。
【０１０９】
応用例１：サービング基地局は、ユーザ装置のフィードバックに基づいて、リソース分配に必要とするチャネル状態情報を取得する。図４は、その実施の様子を模式的に示す図である。図４において、基地局２０２は、ユーザ装置４１６のサービング基地局とし、基地局２００と基地局２０４は、ユーザ装置４１６の協調通信基地局と仮定する。また、サービング基地局２０２の下りリンクデータの伝送方式を閉ループ単層プレコーディングにし、協調通信基地局２００の下りリンクデータの伝送方式を送信ダイバーシティにし、協調通信基地局２０４の下りリンクデータの伝送方式を単層の開ループ空間分割多重化に仮定する。
【０１１０】
ユーザ装置４１６は、サービング基地局２０２のチャネル状態情報をサービング基地局２０２に送信する（フィードバック過程７００）。よって、サービング基地局２０２は、ユーザ装置のフィードバックに基づいて、リソース分配に必要とするチャネル状態情報を取得する。サービング基地局２０２は、リソーススケジューリングを完了すると、バックグラント通信（Ｘ２インターフェイス３００、３０４）により、少なくともリソーススケジューリング結果と下りリンク通信データとを、協調通信基地局２００及び協調通信基地局２０４に送信する。
【０１１１】
応用例２：各協調通信基地局は、サービング基地局がリソース分配を行うために必要とするチャネル状態情報を、バックグランド通信により該当サービング基地局に送信する。図５は、その実施の様子を模式的に示す図である。図５において、基地局２０２は、ユーザ装置４１６のサービング基地局とし、基地局２００と基地局２０４は、ユーザ装置４１６の協調通信基地局と仮定する。また、サービング基地局２０２の下りリンクデータの伝送方式を送信ダイバーシティにし、協調通信基地局２００の下りリンクデータの伝送方式を閉ループ単層プレコーディングにし、協調通信基地局２０４の下りリンクデータの伝送方式をビームフォーミング送信に仮定する。
【０１１２】
ユーザ装置４１６は、協調通信基地局２００及び協調通信基地局２０４のチャネル状態情報を、協調通信基地局２００及び協調通信基地局２０４それぞれに送信する必要がある（フィードバック過程７１０、７１２）。
【０１１３】
その後、協調通信基地局２００及び協調通信基地局２０４は、ユーザ装置４１６によりフィードバックされた情報、即ちサービング基地局２０２がリソース分配に必要とするチャネル状態情報を、バックグラント通信（Ｘ２インターフェイス３００、３０４）によって、サービング基地局２０２に送信する。サービング基地局２０２は、リソーススケジューリングを完了すると、バックグラント通信（Ｘ２インターフェイス３００、３０４）により、少なくともリソーススケジューリング結果と下りリンク通信データとを協調通信基地局２００と協調通信基地局２０４とに送信する。
【０１１４】
応用例３：各協調通信基地局は、サービング基地局がリソース分配を行うために必要とするチャネル状態情報を、バックグランド通信によって該当サービング基地局に送信する。図６は、その実施の様子を模式的に示す図である。図６において、基地局２０２は、ユーザ装置４１６のサービング基地局とし、基地局２００及び基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て閉ループ単層プレコーディングだとする。
【０１１５】
ユーザ装置４１６は、サービング基地局２０２、協調通信基地局２００、協調通信基地局２０４のチャネル状態情報を、サービング基地局２０２、協調通信基地局２００、協調通信基地局２０４それぞれに送信する（フィードバック過程７２０、７２２、７２４）。そして、協調通信基地局２００及び協調通信基地局２０４は、ユーザ装置４１６によりフィードバックされた情報、即ちサービング基地局２０２がリソース分配に必要とするチャネル状態情報を、バックグラント通信（Ｘ２インターフェイス３００、３０４）によって、サービング基地局２０２に送信する。
【０１１６】
サービング基地局２０２は、リソーススケジューリングを完了すると、バックグラント通信（Ｘ２インターフェイス３００、３０４）により、少なくともリソーススケジューリング結果及び下りリンク通信データを協調通信基地局２００と協調通信基地局２０４とに送信する。
【０１１７】
応用例４：サービング基地局はユーザ装置のフィードバックに基づいて、リソース分配に必要とするチャネル状態情報を取得する。図７は、その実施の様子を模式的に示す図である。図７において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て単層のマルチユーザMIMOである。
【０１１８】
ユーザ装置４１６、４１０、４３０は、一つの、マルチユーザグループを構成する。ユーザ装置４１６は、サービング基地局２０２、協調通信基地局２００、協調通信基地局２０４のチャネル状態情報を、サービング基地局２０２に送信する必要がある（フィードバック過程７３０）。よって、サービング基地局２０２は、ユーザ装置のフィードバックに基づいて、リソース分配に必要とするチャネル状態情報を取得する。
【０１１９】
サービング基地局２０２は、リソーススケジューリングを完成すると、バックグラント通信（Ｘ２インターフェイス３００、３０４）により、少なくともリソーススケジューリング結果及び下りリンク通信データを協調通信基地局２００と協調通信基地局２０４とに送信する。
【０１２０】
ここで、上述の応用例１〜応用例４は、本発明において、サービング基地局が、ユーザ装置からサービング基地局及び各協調通信基地局へのチャネル状態情報を取得し、リソーススケジューリング及びバックグランド通信を行う実施例である。なお、本発明において、サービング基地局が、当該サービング基地局及び各協調通信基地局からユーザ装置への下りリンクチャネルのチャネル状態情報を取得し、リソーススケジューリング及びバックグランド通信を行う様式は、上記応用例１〜応用例４の様式に限られるべきものではない。
【０１２１】
ステップ５２５：サービング基地局または協調通信基地局は、下りリンク無線インターフェイスを介して、ユーザ装置に下りリンクリソースの分配指示を送信する。
【０１２２】
上記サービング基地局は、下りリンクリソースの分配指示をユーザ装置に送信し、上記分配指示には、少なくとも下りリンクリソースブロック割り当て情報、サービング基地局がデータ送信するために必要なプレコーディング情報が含まれていることが好ましい。
【０１２３】
上記サービング基地局は、下りリンクリソースの分配指示をユーザ装置に送信し、上記分配指示には、少なくとも下りリンクリソースブロック割り当て情報、サービング基地局がデータ送信するために必要なプレコーディング情報、各協調通信基地局がデータ送信するために必要なプレコーディング情報が含まれていることが好ましい。
【０１２４】
上記サービング基地局及び各協調通信基地局は、それぞれ、下りリンクリソースの分配指示をユーザ装置に送信し、上記分配指示には、少なくとも下りリンクリソースブロック割り当て情報、及び基地局がデータを送信するために必要なプレコーディング情報が含まれていることが好ましい。
【０１２５】
本実施例において、四つの応用例を用いて説明を行う。
【０１２６】
応用例１：上記サービング基地局は、下りリンクリソースの分配指示をユーザ装置に送信し、上記分配指示には、少なくとも下りリンクリソースブロック割り当て情報、及びサービング基地局がデータ送信するために必要なプレコーディング情報が含まれている。図４は、その実施の様子を模式的に示す図である。図４において、基地局２０２は、ユーザ装置４１６のサービング基地局とし、基地局２００と基地局２０４は、ユーザ装置４１６の協調通信基地局と仮定する。
【０１２７】
また、サービング基地局２０２の下りリンクデータの伝送方式を閉ループ単層プレコーディングにし、協調通信基地局２００の下りリンクデータの伝送方式を送信ダイバーシティにし、協調通信基地局２０４の下りリンクデータの伝送方式を単層の開ループ空間分割多重化に仮定する。また、サービング基地局と協調通信基地局とが、同じ単層のデータを送信し、基地局の間で空間ダイバーシティが形成される。
【０１２８】
ここで、協調通信基地局が、サービング基地局が送信した信号の受信品質を高めるために補助の役割をすることは、容易に想到できる。したがって、協調通信基地局はデータのプレコーディング情報を送信していない。よって、サービング基地局２０２がユーザ装置４１６に送信する下りリンクリソースの分配指示（指示６０８）には、下りリンクリソースブロック割り当て情報と、サービング基地局２０２がデータを送信するために必要なプレコーディング情報とが含まれている。
【０１２９】
応用例２：上記サービング基地局及び各協調通信基地局は、それぞれ、下りリンクリソースの分配指示をユーザ装置に送信する。上記分配指示には、少なくとも下りリンクリソースブロック割り当て情報、及び基地局がデータ送信するために必要なプレコーディング情報が含まれている。図５は、その実施の様子を模式的に示す図である。図５において、基地局２０２は、ユーザ装置４１６のサービング基地局とし、基地局２００と基地局２０４は、ユーザ装置４１６の協調通信基地局と仮定する。
【０１３０】
また、サービング基地局２０２の下りリンクデータの伝送方式を送信ダイバーシティにし、協調通信基地局２００の下りリンクデータの伝送方式を閉ループ単層プレコーディングにし、協調通信基地局２０４の下りリンクデータの伝送方式をビームフォーミング送信に仮定する。サービング基地局と協調通信基地局とが、同じ単層のデータを送信し、基地局の間で空間ダイバーシティが形成される。
【０１３１】
ここで、協調通信基地局が、データのプレコーディング情報を送信することは容易に想到できる。よって、サービング基地局２０２、協調通信基地局２００、協調通信基地局２０４は、それぞれ、下りリンクリソースの分配指示（指示６２４、指示６２８、指示６２６）をユーザ装置４１６に送信し、上記分配指示には、下りリンクリソース割り当て情報、及び基地局２００・２０２・２０４がデータを送信するために必要なプレコーディング情報が含まれている。
【０１３２】
応用例３：上記サービング基地局は、下りリンクリソースの分配指示をユーザ装置に送信する。上記分配指示には、少なくとも下りリンクリソース割り当て情報、サービング基地局がデータを送信するために必要なプレコーディング情報、及び各協調通信基地局がデータを送信するために必要なプレコーディング情報が含まれている。図６は、その実施の様子を模式的示す図である。図６において、基地局２０２は、ユーザ装置４１６のサービング基地局とし、基地局２００と基地局２０４は、ユーザ装置４１６の協調通信基地局と仮定する。
【０１３３】
また、協調通信基地局２００及び協調通信基地局２０４の下りリンクデータの伝送方式は、サービング基地局２０２の下りリンクデータの伝送方式と同じであることが黙認され、全て閉ループ単層プレコーディングだとする。また、サービング基地局と協調通信基地局とが、異なる単層のデータを送信し、基地局の間で空間多重化が形成される。
【０１３４】
サービング基地局と協調通信基地局とが何れもデータのプレコーディング情報を送信することは容易に想到できる。よって、サービング基地局２０２がユーザ装置４１６に送信する分配指示（指示６４４）には、下りリンクリソース割り当て情報、サービング基地局２０２がデータを送信するために必要なプレコーディング情報、及び協調通信基地局２００と協調通信基地局２０４とがデータを送信するために必要なプレコーディング情報が含まれている。
【０１３５】
応用例４：上記サービング基地局は、下りリンクリソースの分配指示をユーザ装置に送信する。上記分配指示には、少なくとも下りリンクリソースのブロック割り当て情報、サービング基地局がデータを送信するために必要なプレコーディング情報、各協調通信基地局がデータを送信するために必要なプレコーディング情報が含まれている。
【０１３６】
図７において、基地局２０２は、ユーザ装置４１６のサービング基地局とし、基地局２００と基地局２０４は、ユーザ装置４１６の協調通信基地局と仮定する。また、協調通信基地局２００及び協調通信基地局２０４の下りリンクデータの伝送方式は、サービング基地局２０２の下りリンクデータの伝送方式と同じであることが黙認され、全て単層のマルチユーザMIMOである。ユーザ装置４１６、４１０、４３０は、一つの、マルチユーザグループを構成する。サービング基地局と協調通信基地局は、シングルユーザに対して同じ単層のデータを送信し、基地局の間で空間ダイバーシティが形成される。
【０１３７】
ここで、サービング基地局と協調通信基地局とが何れもデータのプレコーディング情報を送信することは容易に想到できる。よって、サービング基地局２０２がユーザ装置４１６に送信する、下りリンクリソースの分配指示（指示６６４）には、下りリンクリソースブロック割り当て情報、サービング基地局２０２がデータを送信するために必要なプレコーディング情報、及び協調通信基地局２００と協調通信基地局２０４とがデータを送信するために必要なプレコーディング情報が含まれている。
【０１３８】
協調通信基地局２００がユーザ装置４１０に送信する、下りリンクリソースの分配指示（指示６６８）には、下りリンクリソースブロック割り当て情報、協調通信基地局２００がデータを送信するために必要なプレコーディング情報、サービング基地局２０２と協調通信基地局２０４とがデータを送信するために必要なプレコーディング情報が含まれている。
【０１３９】
また、協調通信基地局２０４がユーザ装置４３０に送信する下りリンクリソースの分配指示（指示６６６）には、下りリンクリソースブロック割り当て情報、協調通信基地局２０４がデータを送信するために必要なプレコーディング情報、及び協調通信基地局２００とサービング基地局２０２とがデータを送信するために必要なプレコーディング情報が含まれている。
【０１４０】
ここで、上述の応用例１〜応用例４は、本発明において、ユーザ装置が下りリンクリソースの分配指示を取得する実施例である。なお、本発明において、ユーザ装置が下りリンクリソースの分配指示を取得する様式は、上記応用例１〜応用例４の様式に限られるべきものではない。
【０１４１】
その後、サービング基地局および協調通信基地局からユーザ装置へ、ユーザ装置に通知された伝送方式で下りリンクデータが送信される。ユーザ装置は、複数のアンテナによって、これらの基地局から送信される下りリンクデータをそれぞれ受信する。
【０１４２】
図８は、本発明の実施例に係るセルラーシステム下りリンクにおける、マルチアンテナマルチ基地局間協調通信の方法を利用する基地局を模式的に示す図である。
【０１４３】
図８に示すように、本発明の実施例に係る基地局２００/２０２/２０４は、ユーザ装置パラメータメモリ２１１、マルチアンテナマルチ基地局間の協調判定ユニット（特定ユニット）２１２、下りリンク制御信号送信ユニット（リンク制御情報送信ユニット）２１３、下りリンクリソースの分配（スケジューリング）指示ユニット２１５、リソーススケジューリングユニット２１４を備えている。
【０１４４】
基地局２００/２０２/２０４のユーザ装置パラメータメモリ２１１は、ユーザ装置に関するパラメータを記憶する。該当ユーザ装置に関するパラメータには、ユーザ装置の地理位置と、ユーザ装置のパス損失（基地局およびユーザ装置間の無線信号の空間伝搬損失）と、ユーザ装置の下りリンク通信データの送信バッファメモリ（図示なし）の状態とのうち、少なくとも１つが含まれている。ただし、ユーザ装置に関するパラメータは、上記のように限定されるものでない。なお、ユーザ装置の下りリンク通信データの送信バッファメモリの状態とは、例えば、ユーザ装置へ送信される下りリンク通信データを記憶する送信バッファメモリに記憶されている上記下りリンク通信データ量を意味する。
【０１４５】
マルチアンテナマルチ基地局間の協調判定ユニット２１２は、ユーザ装置パラメータメモリ２１１に記憶された、ユーザ装置に関するパラメータに基づいて、ユーザ装置がマルチアンテナマルチ基地局間協調通信という動作モードに入っているかどうかを判定する。上記動作モードとは、サービング基地局を含む複数の基地局を介してユーザ装置に下りリンク通信データを送信するための基地局間協調通信モードである。換言すれば、判定ユニット２１２は、その時点で基地局間協調通信の下りリンク通信データの送信対象となるユーザ装置である対象ユーザ装置を特定する。なお、以下の説明では、特に断らない限り対象ユーザ装置を単にユーザ装置と称する。
【０１４６】
そして、マルチアンテナマルチ基地局間の協調判定ユニット２１２は、特定したユーザ装置に対して少なくとも１つの協調通信基地局を対応付け、その対応関係を示す配置情報を生成する。ユーザ装置に対して少なくとも１つの協調通信基地局を対応付ける方法は特に限定されない。例えば、サービング基地局が属するセルに隣接する複数のセルのうち、ユーザ装置に最も近いセルから順に所定の数だけセルを選択し、選択したセルに配置された基地局を協調通信基地局とすればよい。
【０１４７】
下りリンク制御信号送信ユニット２１３は、基地局２００/２０２/２０４においてユーザ装置に対してマルチアンテナマルチ基地局間の協調モードの配置を行う際に使われる。
【０１４８】
リソーススケジューリングユニット２１４は、ユーザ装置から送信される、リソーススケジューリングに必要な下りリンクチャネルのチャネル（伝搬路）状態情報を受信し、上記チャネル状態情報に基づいて、リソースのスケジューリングを行う。上記チャネル状態情報は、例えば、ユーザ装置が算出した好ましい送信モードを示す情報（空間多重数、ユーザ装置が受信可能な伝送速度情報など）である。
【０１４９】
具体的には、リソーススケジューリングユニット２１４は、受信したチャネル状態情報を用いて、受信機であるユーザ装置でのチャネルの劣化を補償するためのプレコーディング情報を生成する。また、リソーススケジューリングユニット２１４は、上記チャネル状態情報から、予め定義されたアルゴリズムに従って、対象ユーザ装置に好ましい下りリンクリソースブロック割り当て情報を算出する。
【０１５０】
また、リソーススケジューリングユニット２１４は、Ｘ２インターフェイスを介してバックグランド通信を行い、下りリンクリソースブロック割り当て情報と協調通信基地局から対象ユーザ装置への下りリンク通信データとを協調通信基地局に送信する。このとき各基地局２００・２０２・２０４の間で、Ｘ２インターフェイスを介して通信が行われる。
【０１５１】
下りリンクリソースの分配指示ユニット２１５は、対象ユーザ装置に対して、リソーススケジューリングユニット２１４の下りリンクリソースブロック割り当て情報に基づいて、ユーザ装置に対して下りリンクリソースの分配指示を送信する。上記分配指示には、少なくとも対象ユーザ装置に割り当てた下りリンクリソースブロック割り当て情報、サービング基地局がデータ送信するために必要なプレコーディング情報、各協調通信基地局がデータ送信するために必要なプレコーディング情報が含まれている。上記下りリンクリソースブロック割り当て情報およびプレコーディング情報は、リソーススケジューリングユニット２１４が算出または生成したものである。
【０１５２】
換言すれば、下りリンクリソースの分配指示ユニット２１５は、リソーススケジューリングユニット２１４によるリソーススケジューリングの結果に基づいて、下りリンクリソースの分配結果を含む送信関連情報を上記対象ユーザ装置に送信する。
【０１５３】
以上のように本発明では、サービング基地局は、ユーザ装置がマルチアンテナマルチ基地局間協調通信の動作モードに入っているかを判定する。もし、入っていると判定したら、サービング基地局は、下りリンク制御信号（downlink control signaling）を用いて、ユーザ装置に対して配置を行う。それから、ユーザ装置は、サービング基地局と各協調通信基地局のシステム情報及びチャネル状態情報を取得してフィードバックを行う。そして、サービング基地局は、該当サービング基地局と各協調通信基地局からユーザ装置への下りリンクチャネルのチャネル状態情報を取得してリソーススケジューリングとバックグランド通信を行う。最後に、ユーザ装置は、下りリンクリソースの分配指示を取得する。サービング基地局と各協調通信基地局は、マルチアンテナマルチ基地局間協調通信の方式を用いて、ユーザ装置にデータを送信する。
【０１５４】
本発明は、適用範囲が広く、シグナリングが合理的で、実現が容易であるなどの利点を有する。
【０１５５】
本発明は、上述した実施例に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０１５６】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【０１５７】
なお、本発明は以下のようにも表現できる。すなわち、本発明のマルチアンテナマルチ基地局間協調通信の方法は、少なくとも一つのユーザ装置と、上記ユーザ装置にサービスを提供するサービング基地局と、少なくとも一つの協調通信基地局とを備えているセルラーシステム下りリンクにおけるマルチアンテナマルチ基地局間協調通信の方法であって、上記サービング基地局が、上記マルチアンテナマルチ基地局間協調通信の動作モードに入っているユーザ装置の有無を判定するステップと、上記サービング基地局が、下りリンク制御信号を用いて、上記マルチアンテナマルチ基地局間協調通信の動作モードに入っているユーザ装置に対して配置を行うステップと、上記ユーザ装置が、上記配置に基づいて、上記サービング基地局と各協調通信基地局のシステム情報、及びリソース分配に必要とする下りリンクチャネルのチャネル状態情報を取得するステップと、上記ユーザ装置が、上記サービング基地局がリソースの分配を行うために必要とする上記下りリンクチャネルのチャネル状態情報を、上記サービング基地局にフィードバックするステップと、上記サービング基地局が、リソースの分配に必要とする上記下りリンクチャネルのチャネル状態情報に基づいてリソーススケジューリングを行い、少なくとも、上記リソーススケジューリングの結果と下りリンク通信データとを、各上記協調通信基地局に送信するステップと、少なくとも、上記サービング基地局から上記ユーザ装置に下りリンクリソースの分配指示を送信するステップと含んでいる。
【０１５８】
上記サービング基地局は、上記ユーザ装置の地理位置と上記ユーザ装置のパス損失と上記ユーザ装置の下りリンクデータのバッファメモリの状態とのうち、少なくとも一方に基づいて、上記マルチアンテナマルチ基地局間協調通信の動作モードに入っているユーザ装置の有無を判定することが好ましい。
【０１５９】
上記下りリンク制御信号には、配置情報が含まれており、該当配置情報には、少なくとも上記協調通信基地局の、セル番号と下りリンクデータの伝送方式とが含まれていることが好ましい。
【０１６０】
上記下りリンク制御信号には、配置情報が含まれており、該当配置情報には、少なくとも上記協調通信基地局の、セル番号とアンテナの設置情報とが含まれていることが好ましい。
【０１６１】
上記ユーザ装置が取得した、上記サービング基地局及び各上記協調通信基地局のシステム情報には、少なくともアンテナの設置情報が含まれていることが好ましい。
【０１６２】
上記ユーザ装置は、上記サービング基地局の報知チャネルを介して該当サービング基地局のシステム情報を取得し、各上記協調通信基地局の報知チャネルを介して各上記協調通信基地局のシステム情報を取得することが好ましい。
【０１６３】
上記ユーザ装置は、上記サービング基地局の報知チャネルを介して該当サービング基地局のシステム情報を取得し、上記配置情報に基づいて各上記協調通信基地局のシステム情報を取得することが好ましい。
【０１６４】
上記ユーザ装置は、リソース分配に必要とする下りリンクチャネルのチャネル状態情報を、上記サービング基地局のみにフィードバックすることが好ましい。
【０１６５】
上記ユーザ装置は、リソース分配に必要とする下りリンクチャネルのチャネル状態情報を、上記サービング基地局と各上記協調通信基地局それぞれにフィードバックすることが好ましい。
【０１６６】
上記サービング基地局は、上記ユーザ装置のフィードバックに基づいて、リソース分配に必要とする下りリンクチャネルのチャネル状態情報を取得することが好ましい。
【０１６７】
各上記協調通信基地局は、上記サービング基地局がリソース分配を行うために必要とする下りリンクチャネルのチャネル状態情報を、バックグランド通信により該当サービング基地局に送信することが好ましい。
【０１６８】
上記分配指示には、上記下りリンクリソース割り当て情報と、上記サービング基地局がデータを送信するために必要なプレコーディング情報とのうち、少なくとも１つが含まれていることが好ましい。
【０１６９】
上記分配指示には、上記下りリンクリソース割り当て情報と、上記サービング基地局がデータを送信するのに必要なプレコーディング情報と、各上記協調通信基地局がデータを送信するために必要なプレコーディング情報とのうち、少なくとも１つが含まれていることが好ましい。
【０１７０】
少なくとも、上記サービング基地局から上記ユーザ装置に送信される下りリンクリソースの上述分配指示には、上記サービング基地局と各上記協調通信基地局それぞれが上記ユーザ装置に送信される下りリンクリソースの分配指示が含まれており、該当分配指示には、下りリンクリソースの割り当て情報と、上記基地局がデータを送信するために必要なプレコーディング情報とのうち、少なくとも１つが含まれていることが好ましい。
【０１７１】
本発明の基地局は、サービング基地局として、少なくとも一つの協調通信基地局とともに、セルラーシステム下りリンクにおけるマルチアンテナマルチ基地局間協調通信を実現する基地局であって、上記マルチアンテナマルチ基地局間協調通信の動作モードに入っているユーザ装置の有無を判定する判定ユニットと、下りリンク制御信号を用いて、上記マルチアンテナマルチ基地局間協調通信の動作モードに入っているユーザ装置に対して配置を行う下りリンク制御信号送信ユニットと、上記ユーザ装置によりフィードバックされた、リソース分配に必要とする下りリンクチャネルのチャネル状態情報を受信し、上記チャネル状態情報に基づいてリソーススケジューリングを行い、少なくとも上記リソーススケジューリングの結果と下りリンク通信データとを各上記協調通信基地局に送信するリソーススケジューリングユニットと、下りリンクリソースの分配指示を、上記ユーザ装置に送信する分配指示送信ユニットとを備えている。
【０１７２】
上記判定ユニットは、上記ユーザ装置の地理位置と上記ユーザ装置のパス損失と上記ユーザ装置の下りリンクデータのバッファメモリの状態とのうち、少なくとも一方に基づいて、上記マルチアンテナマルチ基地局間協調通信の動作モードに入っているユーザ装置の有無を判定することが好ましい。
【０１７３】
上記下りリンク制御信号には、配置情報が含まれており、該当配置情報には、少なくとも上記協調通信基地局の、セル番号と下りリンクデータの伝送方式とが含まれていることが好ましい。
【０１７４】
上記下りリンク制御信号には、配置情報が含まれており、該当配置情報には、少なくとも上記協調通信基地局の、セル番号とアンテナの設置情報が含まれていることが好ましい。
【０１７５】
上記リソーススケジューリングユニットは、上記ユーザ装置からのフィードバックに基づいて、リソース分配を行うのに必要な下りリンクチャネルのチャネル状態情報を取得することが好ましい。
【０１７６】
各上記協調通信基地局は、上記サービング基地局がリソース分配を行うために必要とする下りリンクチャネルのチャネル状態情報を、バックグランド通信により該当サービング基地局に送信することが好ましい。
【０１７７】
上記分配指示には、上記下りリンクリソース割り当て情報と、上記サービング基地局がデータを送信するために必要なプレコーディング情報とのうち、少なくとも一方が含まれていることが好ましい。
【０１７８】
上記分配指示には、上記下りリンクリソース割り当て情報と、上記サービング基地局がデータを送信するために必要なプレコーディング情報と、各上記協調通信基地局がデータを送信するのに必要なプレコーディング情報とのうち、少なくとも一方が含まれていることが好ましい。
【０１７９】
上記分配指示には、下りリンクリソース割り当て情報と、上記基地局がデータを送信するために必要なプレコーディング情報とのうち、少なくとも一方が含まれていることが好ましい。
【産業上の利用可能性】
【０１８０】
本発明は、複数の送受信アンテナを有する複数の基地局を協調通信させて下りリンク通信データを移動局へ送信するセルラーシステム下りリンクに好適に適用できる。
【符号の説明】
【０１８１】
２００ 協調通信基地局
２０２ サービング基地局
２０４ 協調通信基地局
２１２ マルチアンテナマルチ基地局間の協調判定ユニット（特定ユニット）
２１３ 下りリンク制御信号送信ユニット（リンク制御情報送信ユニット）
２１４ リソーススケジューリングユニット
２１５ 分配指示ユニット
４００〜４３０ ユーザ装置
【図１】
0005636073.tif 000002
【図２】
0005636073.tif 000003
【図３】
0005636073.tif 000004
【図４】
0005636073.tif 000005
【図５】
0005636073.tif 000006
【図６】
0005636073.tif 000007
【図７】
0005636073.tif 000008
【図８】
0005636073.tif 000009